(57)【要約】【課題】操作対象と異なるサーバを誤って操作してしまうような危険性を未然に防止可能な技術を提供すること。【解決手段】複数のサーバを操作するサーバ操作処理装置におけるディスプレイ画面を示す画像を受信し、前記サーバを操作するとき、前記ディスプレイ画面を示す画像に含まれるサーバ名を表すコードからなるコマンドプロンプト表示画像から前記サーバのサーバ名を解析し、当該解析結果、前記サーバが操作対象外のサーバ名であるとき、前記サーバ操作処理装置を操作する操作担当者に対して警告する。【選択図】図１
2016095788.tif 000002
【特許請求の範囲】
【請求項１】
複数のサーバを操作するサーバ操作処理装置と、
前記サーバ操作処理装置におけるディスプレイ画面を示す画像を入力し、当該画像を処理する画像処理装置と、
を有し、
前記サーバ操作処理装置は、制御部と、ディスプレイと、を有し、
前記制御部は、
前記サーバを操作するとき、当該サーバを視覚的に判別できない表示形態のコマンドプロンプト画像を前記ディスプレイに表示し、
前記画像処理装置は、画像処理制御部と、警告部と、を有し、
前記画像処理制御部は、
前記サーバ操作処理装置におけるディスプレイ画面画像を入力し、当該画像に含まれるプロンプト表示画像を解析し、当該解析結果、前記サーバが操作対象外のサーバであると判定したとき、その旨を、前記サーバ操作処理装置を操作する操作担当者に対して前記警告部を介して警告する
ことを特徴とするサーバ識別システム。
【請求項２】
請求項１において、前記プロンプト表示画像が、前記サーバのサーバ名を表すコードであるサーバ識別システム。
【請求項３】
請求項２において、前記コードが前記サーバ名、サーバ設置場所、顧客名などを示す情報を含むカラーコードであるサーバ識別システム。
【請求項４】
請求項１において、カメラをさらに有し、
前記画像処理装置は、
前記カメラから前記プロンプト表示画像を含むディスプレイ画面画像を入力することを特徴とするサーバ識別システム。
【請求項５】
請求項４において、前記カメラは、
前記サーバ操作処理装置を操作する操作担当者が装着するメガネに取り付けられ、かつ、当該サーバ操作処理装置を操作する態勢にあるとき、当該サーバ操作処理装置のディスプレイ画面に表示されるコマンドプロンプト表示を捉えることができる位置に取り付けされるように構成したことを特徴とするサーバ識別システム。
【請求項６】
複数のサーバを操作するサーバ操作処理装置におけるディスプレイ画面を示す画像を画像処理し、当該画像処理をもって前記複数のサーバを識別するサーバを識別する方法であって、
前記サーバを、前記サーバ操作処理装置を介して操作するとき、前記サーバ操作処理装置におけるディスプレイ画面に視覚的に判別できないコマンドプロンプト表示画像を入力し、
前記入力コマンドプロンプト表示画像を解析し、
前記解析画像から前記サーバが操作対象内か操作対象外かを判定し、
前記判定結果、相対対象外のサーバであると判定したとき、その旨を、前記サーバ操作処理装置を操作する操作担当者に対して警告する
ことを特徴とするサーバ識別方法。
【請求項７】
請求項６において、
前記コマンドプロンプト表示画像が、サーバ名を示す情報を含むカラーコードであるサーバ識別方法。
【発明の詳細な説明】
【技術分野】
【０００１】
本発明は、コマンドプロンプト（ｃｏｍｍａｎｄ  ｐｒｏｍｐｔ）表示内容からサーバ名を識別可能とするサーバ識別システム及び方法に関する。
【背景技術】
【０００２】
本技術分野の背景技術として、特開２００５−９２６５６号公報（特許文献１）がある。この公報には、「基本インストール完了後にエラー表示プロンプトを設定し、ネットワーク切断作業時にエラーチェックを行い、すべての作業が正常に行われたことを確認後、プロンプト表示を正常に設定しなおす。」という記載がある。
また、特開２０１３−６９０３８号公報（特許文献２）がある。この公報には、「保守作業の対象となる機体のシリアル番号、モデル名、設定項目および設定値を含む設定情報を格納した記録媒体を読み取る読取部と、ネットワーク接続されたサーバから前記モデル名ごとに、前記設定情報に関する統計情報を取得する通信部と、前記読取部が読み取った前記設定情報を前記通信部が取得した前記統計情報と比較して前記設定値に係る外れ値度を算出する外れ値度算出部と、前記外れ値度算出部で算出された前記外れ値度前記シリアル番号ごとに集計すると共に、前記集計の結果基づいて前記シリアル番号ごとに前記保守作業における優先度を算出する保守優先度算出部と、を具備する保守装置」という記載がある。
【先行技術文献】
【特許文献】
【０００３】
【特許文献１】特開２００５−９２６５６
【特許文献２】特開２０１３−６９０３８
【発明の概要】
【発明が解決しようとする課題】
【０００４】
特許文献１では、一人で複数（１０台以上）のサーバを切り替えて操作するような場合、当該切り替えたサーバとの接続が意図したサーバであるか否かを自動的に確認することまでは想定されていない。一般的には、サーバ操作処理装置のディスプレイ（コンピュータにコマンドを入力する場所を示す画面上）に表示されるコマンドプロンプト表示、例えば、「ＳＶ１」との表示をもって視覚的に確認している。しかし、このような視覚的確認による方法によれば、操作者が見落としたり、見誤ったり、または「ＳＶ２」と表示されているのを確認しながら、正しいサーバを操作していると思い込んでしまうことがある。そのため、操作対象でないサーバに対して操作をしてしまうなどしてシステム障害を起こしてしまう場合がある。また、特許文献２には、記録媒体読取部、通信部、外れ値度算出部、保守優先度算出部、を備えた保守装置をもって、多数の保守対象装置の中から保守作業における優先度の高い機体を把握することの記載があるも、保守対象装置を切り替えて操作するとき、コマンドプロンプト表示することについては何ら考慮されていない。
【０００５】
そこで、本発明では、操作対象と異なるサーバを誤って操作してしまうような危険性を未然に防止可能な技術を提供することを目的とする。
【課題を解決するための手段】
【０００６】
上記課題を解決するために、代表的な本発明のサーバ識別システム及び方法の一つは、複数のサーバを操作するサーバ操作処理装置におけるディスプレイ画面に視覚的に判別できないコマンドプロンプト表示画像を表示し、前記サーバを操作するとき、前記ディスプレイ画面のコマンドプロンプト表示画像を入力し、当該コマンドプロンプト表示画像を解析し、当該解析画像から前記サーバが操作対象内か操作対象外かを判定し、当該判定結果、相対対象外のサーバであると判定したとき、その旨を、前記サーバ操作処理装置を操作する操作担当者に対して警告することを特徴とするものである。
【発明の効果】
【０００７】
本発明によれば、操作対象と異なるサーバを誤って操作してしまうような危険性を未然に防止可能である。
上記した以外の課題、構成及び効果は、以下の実施形態の説明により明らかにされる。
【図面の簡単な説明】
【０００８】
【図１】図１は、本発明のサーバ認識システムの構成を示すブロック図。
【図２】図２は、本発明に係るサーバ操作処理装置のディスプレイと画像処理装置との関係を示す概略図。
【図３】図３は、図１における画像処理装置の処理手順の実施の形態を示すフローチャート。
【発明を実施するための形態】
【０００９】
以下、実施例を、図面を用いて説明する。
【実施例１】
【００１０】
図１は、本発明のサーバ認識システムの構成を示すブロック図である。
本システムは、サーバ操作処理装置１０、複数のサーバ２０、ネットワーク３０、カメラ４０、画像処理装置５０、を有する。
【００１１】
サーバ操作処理装置１０は、例えば、ＰＣからなり、制御部１１（コマンドプロンプト表示処理部）、表示部１２（ディスプレイ）を有する。
【００１２】
制御部１１は、コマンドプロンプトをディスプレイ１２に表示する機能を有する。コマンドプロンプトは、コマンドプロンプト名が視覚的に判別できない形態で表示する。例えば、情報量を多く取り入れることが可能なカラーコードで表示するとよい。このようにコマンドプロンプト名が視覚的に判別できない形態で表示することにより、第三者による不正操作防止が可能となる。コードとしては、バーコード、ＱＲコード（登録商標）であってもよい。
【００１３】
カメラ４０は、サーバ操作処理装置１０におけるディスプレイ表示画面を撮影し、当該撮影画像（ディスプレイ表示画面を示す画像）を画像処理装置５０に入力する。
【００１４】
画像処理装置５０は、画像入力部５１、画像解析部５２、記憶部５３、画像判定部５４、警告部５５を有する。
【００１５】
画像入力部５１は、サーバ操作処理装置１０からのディスプレイ表示画面画像を入力する。本例では、カメラ４０からの画像を入力する構成としているが、その入力方法は別手段により行ってもよい。例えば、カメラ４０を介さずサーバ操作処理装置１０から直接入力するように構成してもよい。ディスプレイ表示画面画像は、記憶部５３に記録する。
【００１６】
画像解析部５２は、ディスプレイ表示画面画像におけるコマンドプロンプト表示画像を解析する。
【００１７】
画像判定部５４は、コマンドプロンプト表示画像を解析した結果を元に、サーバ２０のサーバ名が操作対象外のサーバであるか否か確認、又は判定する。
【００１８】
この判定に際しては、例えば、記憶部５３に、サーバ操作対象処理装置１０の対象サーバ名（サーバ名を表すコード）を事前に登録しておき、当該サーバ名との照合により行う。
【００１９】
画像解析部５２及び画像判定部５４は、制御部を構成する。
【００２０】
警告部５５は、判定部５４による判定結果、サーバ操作処理装置１０に接続されているサーバが操作対象外のサーバである場合には、その旨を操作担当者１３に対して警告する。この警告手段は、周知方法で行う。例えば、音声による警告でもよく、或いはサーバ操作処理装置１０のディスプレイ１２に警告メッセージがポップアップされるように構成してもよい。
【００２１】
図２は、本発明に係るサーバ操作処理装置のディスプレイと画像処理装置との関係を示す概略図である。
【００２２】
カメラ４０は、図示していないが、前記サーバ操作処理装置を操作する操作担当者が装着するメガネに取り付けられ、かつ、当該サーバ操作処理装置を操作する態勢にあるとき、当該サーバ操作処理装置のディスプレイ画面に表示されるコマンドプロンプト表示を捉えることができる位置に取り付けされるように構成するとよい。
係る構成とすることにより、操作者がサーバ操作処理装置から多少離れていてもディスプレイ画面を適確に捉えることができる。
【００２３】
ディスプレイ１２は、コマンドプロンプト１２１を表示している。コマンドプロンプトは、例えば、サーバ名を表すカラーコードである。カラーコードには、サーバ名の他、例えば、サーバ設置場所、顧客名、時間、などの情報が含まれる。
【００２４】
図３は、図１における画像処理装置の処理手順の実施の形態を示すフローチャートである。図３のフローチャートに基づく動作は以下のとおりである。
【００２５】
ステップ５０１：カメラ４０は、コマンドプロンプト表示（サーバ名を表すカラーコード）を含むディスプレイ画面を撮影する。
【００２６】
ステップ５０２：演算装置５０（入力部）は、ディスプレイ画面画像を入力する。
【００２７】
ステップ５０３：演算装置５０（解析部）は、ディスプレイ画面画像のコマンドプロンプト表示（例えば、サーバ名を表すカラーコード）画像を解析する。
【００２８】
ステップ５０４：演算装置５０（判定部）は、コマンドプロンプト表示（サーバ名を表すカラーコード）画像を解析からサーバ名を判定する。この判定は、装置（記憶部）内のサーバ名テーブルを参照してサーバ操作処理装置に接続されたサーバが操作対象外であるか否かの判定を行う。
【００２９】
ステップ５０５：演算装置５０（警告部）は、操作対象外のサーバ名である場合、サーバ操作担当者に警告する。
【００３０】
このようにして、画像処理装置５０がサーバ操作処理装置１０のディスプレイ表示画面画像をもってサーバ名を判定し、操作対象外のサーバであるときは、その旨を操作担当者に警告することで、サーバの誤操作に起因するシステム障害を防止する。
【００３１】
本実施例では、サーバ操作処理装置１０におけるディスプレイ表示画像の画像処理装置５０への入力は、カメラ４０を介しているが、カメラ４０を介さずサーバ操作処理装置１０から画像処理装置５０へ入力するように構成してもよい。
また、警告は、音による警告でもよく、その他の方法による警告方法でもよい。
【００３２】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒａｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３３】
１０・・・サーバ操作処理装置、１１・・・制御部、１２・・・ディスプレイ、２０・・・サーバ、５０・・・画像処理装置、５１・・・画像入力部、５２・・・画像解析部、５３・・・記憶部、５４・・・画像判定部、５５・・・警告部、３０・・・ネットワーク、４０・・・カメラ。
【図１】
2016095788.tif 000003
【図２】
2016095788.tif 000004
【図３】
2016095788.tif 000005